(57)【要約】  フレーム、及び搬送されるべき材料のためにフレームに係止できる、材料用の交換可能なガイドを持つ、特に壜用のコンベア装置である。このようなガイドの取り扱い、収容、及び設置を容易にするため、ガイドを多数の部品でできているように設計する。第１ガイド部品には中央ロック装置が設けられており、係止ストップを備えた第２ガイド用のロック手段として設計されている。
2007535457.tif 000002
【特許請求の範囲】
【請求項１】
フレーム（８）及び搬送されるべき材料（２）のために前記フレーム（８）に係止できる交換可能なガイド（６）を持つ容器用のコンベア装置（１）において、
前記ガイド（６）は多数の部品で設計されており、第１ガイド部品（６ａ）には中央ロック装置（９）が設けられており、前記第１ガイド部品は、係止ストップ（２６）を備えた第２ガイド部品（６ｂ、６ｃ）用の係止手段として設計されている、コンベア装置。
【請求項２】
請求項１に記載のコンベア装置において、前記係止ストップ（２６）を保持する位置決め装置が前記第２ガイド部品（６ｂ、６ｃ）と前記フレーム（８）との間に設けられる、ことを特徴とするコンベア装置。
【請求項３】
請求項１又は２に記載のコンベア装置において、位置決め装置が前記第１ガイド部品（６ａ）と前記フレーム（８）との間に設けられる、ことを特徴とするコンベア装置。
【請求項４】
請求項１、２、又は３に記載のコンベア装置において、プラグ−シフト装置（１９）が前記フレーム（８）と前記ガイド（６）との間に設けられる、ことを特徴とするコンベア装置。
【請求項５】
請求項１乃至４のうちのいずれか一項に記載のコンベア装置において、ホールドダウン装置（２５）が前記第２ガイド部品（６ｂ、６ｃ）と前記フレーム（８）との間に設けられる、ことを特徴とするコンベア装置。
【請求項６】
請求項１乃至５のうちのいずれか一項に記載のコンベア装置において、ホールドダウン装置（１４、２５）が前記第１ガイド部品（６ａ）と前記フレーム（８）との間に設けられる、ことを特徴とするコンベア装置。
【請求項７】
請求項４、５、又は６に記載のコンベア装置において、前記プラグ−シフト連結部（１９）は、シャフト（２４）及びこのシャフトよりも大きく且つホールドダウン装置として作用するヘッド（２５）を持つ少なくとも一つのボルト（２０）、及び開口部（２２）を含み、この開口部は第１及び第２の領域（２２ａ、２２ｂ）を有し、第１領域（２２ａ）は前記ヘッド（２５）と等しいか或いはそれ以上であり、第２領域（２２ｂ）は前記シャフト（２４）と等しいか或いはそれ以上であるが前記ヘッド（２５）よりも小さい、ことを特徴とするコンベア装置。
【請求項８】
請求項７に記載のコンベア装置において、前記開口部（２２）の前記第２領域（２２ｂ）には、前記シャフト（２４）用の係止ストップ（２６）が設けられている、ことを特徴とするコンベア装置。
【請求項９】
請求項１乃至８のうちのいずれか一項に記載のコンベア装置において、前記中央ロック（９）は、クランプ部品（１３）を有する、ことを特徴とするコンベア装置。
【請求項１０】
請求項１乃至９のうちのいずれか一項に記載のコンベア装置において、前記中央ロック（９）は係止ボルト（１０）を有し、この係止ボルトはその軸線（１０’）を中心として回転でき、非円形のクランプ領域（１３）及びこのクランプ領域（１３）を半径方向クランプ効果で保持する開口部（１１）を含む、ことを特徴とするコンベア装置。
【請求項１１】
請求項１０に記載のコンベア装置において、前記係止ボルト（１０）は、前記クランプ領域（１３）よりも大きいヘッド（１４）を有し、ホールドダウン装置として作用する、ことを特徴とするコンベア装置。
【請求項１２】
請求項１乃至１１のうちのいずれか一項に記載のコンベア装置において、圧力面（２７）がガイド部品（６ａ、６ｂ、６ｃ）間に設けられる、ことを特徴とするコンベア装置。
【請求項１３】
請求項１乃至１２のうちのいずれか一項に記載のコンベア装置において、前記ガイド（６）は、ガイドホイール（４）と協働するためのガイドカーブとして設計されている、ことを特徴とするコンベア装置。
【請求項１４】
請求項１乃至１３のうちのいずれか一項に記載のコンベア装置において、前記ガイド（６）は、詳細にはコンベアねじ等の対象物配置装置と協働する直線状ガイドとして設計されている、ことを特徴とするコンベア装置。
【請求項１５】
請求項１乃至１４のうちのいずれか一項に記載のコンベア装置において、第１及び第２のガイド部品（６ａ、６ｂ、６ｃ）の各々は少なくとも二つの開口部（２２）を有し、前記フレーム（８）に割当てられた前記ボルト（２０）は、位置決め装置として作用するシャフト（２４）及びプラグ−シフトガイド（２０、２２）のホールドダウン装置として作用するヘッド（２５）を有する、ことを特徴とするコンベア装置。
【請求項１６】
請求項７乃至１５のうちのいずれか一項に記載のコンベア装置において、前記ボルト（１０、２０）は支持面（１５ａ、２３ａ）を有する、ことを特徴とするコンベア装置。
【発明の詳細な説明】
【技術分野】
【０００１】
本発明は、請求項１の従来技術部分に説明された種類のコンベア装置に関する。
【背景技術】
【０００２】
コンベア装置では、多くの場合、搬送される材料をコンベア経路上に保持する必要がある。これは、ガイドを用いて、及び／又は材料をコンベア経路上に差し向けることによって行われる。このようなガイドの主面は、走行接触して搬送される材料と接触するか或いは、搬送されている材料が特定の搬送路を離れようとすると直ぐに、搬送されている材料と直ちに係合するかのいずれかである。しかしながら、コンベア装置が様々な大きさの商品を搬送するのに適している場合、又はこうした目的で使用されるようになっている場合、コンベア経路に永久的に取り付けられたガイドは、特に、搬送されている材料とガイドが走行係合しなければならない場合に問題となる。モデル用に設計されたコンベアの場合には、ガイドは、交換自在であるように設計されなければならないということは周知である。従来技術で周知のコンベア装置は、好ましくは搬送方向を１８０°変えるガイドホイール、好ましくはガイドスターを使用する。ガイドスターには、周囲が開放した凹所が設けられており、これらの凹所は均等に分配されており、各凹所は第１搬送方向で到着した壜を受け入れ、これらの壜を１８０°の円弧に亘って第２搬送方向に送る。壜が湾曲部でガイドスターから離れないようにするため、例えば、ガイドスターはガイド円弧によって取り囲まれている。ガイド円弧は、少なくともコンベア領域で壜の外側をグリップする。この周知のコンベア装置で様々な大きさの壜を搬送できるようにするため、このガイド及び随意のガイドスターは、コンベア装置を様々な大きさの壜で使用するために容易に変更できるように、交換自在であるように設計されている。しかしながら、周知のガイドは一部品で設計されており、全体を交換しなければならない。この大きくて比較的嵩張るガイドを収納しておく上で問題が生じる。更に、周知のガイドはガイドをフレームの所定位置にしっかりと保持するため、幾つかの位置に取り付けなければならない。
【発明の開示】
【発明が解決しようとする課題】
【０００３】
関連技術と比較した上での本発明の目的は、取り扱いが容易であり且つ便利に収納できる交換可能であり且つ係止可能なガイドを持つコンベア装置を形成することである。
この目的は請求項１に記載の特徴によって達成される。
【課題を解決するための手段】
【０００４】
本発明の実施例は、多数の部品でできているために輸送及び収納が遙かに容易なガイドを形成する。本発明のガイドでは多数の部品を設置しなければならないが、中央ロックにより、一部品ガイドの場合と比べて多数のガイドの組み立てに手間取ることがない。本発明の実施例により、ガイド部品のうちの一つだけを係止しさえすればよく、他のガイド部品は中央に係止したガイド部品によって及び係止ストップによって保持される。
【０００５】
本発明の有利な実施例は、従属項に記載してある。
係止ストップは位置決め装置の便利な部品であり、コンベア装置内での第２ガイド部品の正確な位置を特定する。
【０００６】
第１中央ロックガイド部品に位置決め装置が設けられている場合、組み立てが更に容易になる。
プラグ−シフトガイドを使用した場合、組み立てが更に容易に且つ早くなる。
【０００７】
ホールドダウン装置を第２及び好ましくは第１ガイド部品とフレームとの間で使用することにより、取り付けの堅固さが向上し、汚れや、例えばガラスの破片等がガイドとフレームとの間に入り込む危険が減少する。
【０００８】
プラグ−シフトガイドの特に簡単であり且つ好ましい例示の実施例は、ボルト及び開口部の少なくとも一つの組み合わせを含む。ボルトはシャフト及び他端の大径ヘッドを含み、開口部は大きさが異なる二つの領域を有する。これによって、ヘッドは大径領域を通って嵌着するが小径領域を通って嵌着せず、小径領域はシャフトを保持する。従って、ボルトはボルトのヘッドにより軸線方向で固定され且つボルトのシャフトにより半径方向で固定され、その結果、シャフトが開口部内で一方向だけに移動できる。
【０００９】
しかしながら、シャフトは、輪郭が定められていないがその代わりに全体が円形であるように設計されることもまた考えられる。この場合、開口部の大径領域は、ガイド部品がボルト上でシフトしないようにするため、コンベア装置で搬送されるべき容器の力線の方向に配置されている。この実施例には、シャフトに賦形が施されていないため、組み立て中にボルトが必ずしも整合していなくてよいという利点がある。これは、ボルトが任意の位置でストップ面まで上方にだけ移動できるためである。
【００１０】
便利には、開口部は係止ストップを更に含む。この係止ストップは、好ましくは、シャフトと協働する。中央ロックは、好ましくはクランプによって行われる。これは、このような設計が製造が比較的簡単であり且つ係止及び係止解除が容易であるためである。これにより、クランプは、好ましくは、中央ロックの自動係止効果によって形成される。
【００１１】
これは、好ましくは、クランプ領域を半径方向クランプ効果で保持する非円形クランプ領域を持つクランプボルトを開口部内で回転することによって行われる。
クランプボルトに拡大ヘッドが設けられている場合には、このヘッドは、第１ガイド部品が全ての方向に移動しないように固定されるように、適当な開口部と協働する軸線方向固定手段を形成する。
【００１２】
しかしながら、中央ロックは、係止バー、又は空気圧式、液圧式、又は電動式のエレメント等の他の要素によって提供されてもよい。
好ましくはガイド部品間に圧力面が形成され、これによりガイド部品を隙間なしで互いに直接的に整合させることができ、間接的にしか係止されていないガイド部品の固定的係止を保証する。
【００１３】
本発明は、ガイドホイールと協働するためのガイドカーブに特に適しているが、コンベアスクリューと協働する直線状ガイド等の他の目的で使用されるように設計することもできる。
【００１４】
ガイド部品に開口部が設けられており、フレームにボルトが設けられている場合には、先ず最初に、様々な大きさのガイド部品用のボルトを再使用できる一方、ガイド部品は収納の邪魔になる突出したエレメントを全く備えていない。
【００１５】
ボルトは、好ましくはガイド部品用の支持面を有し、ガイド部品を、フレームから所定距離のところに取り付けることができるようにし、そのためその下側に汚れが付着することはない。
【００１６】
好ましい実施例では、ガイド部品は、一方では良好なクリーニング性を得ると同時にガイド部品の開口部を形成する上で良好な安定性を持つため、ステンレス鋼で形成されている。開口部は、スプレー流体、クリーニング流体、又は残留流体の溢れ出しを加速し、即ち可能にする。このようなガイド部品は、無菌機械、例えば材料及び設計に課せられる無菌性及び従ってクリーニング性に関する要求が特に高い機械で、使用できる。
【００１７】
本発明の例示の実施例を添付図面に基づいて以下に詳細に説明する。
【発明を実施するための最良の形態】
【００１８】
図１は、本発明に従って設計された、商品を搬送するためのコンベア装置１の例示の実施例の一部の概略図を示す。ここに示す例示の実施例では、コンベア装置１は、飲料用の容器２、特に壜を搬送するように設計されている。容器２は適当なコンベア（ここにはコンベアベルト３が示してある）によって搬送方向Ｆで供給される。搬送方向の変更を行うため、コンベア３は、ここに示す例示の実施例において複数の凹所５が周囲に開放したガイドスターとして設計されたガイドホイール４の領域内に移動する。これらの凹所は、容器の長さ方向軸線に沿った任意の適当な位置で容器２を収容し且つ案内し、所望の湾曲に亘って容器を搬送し、次いで容器を適当な位置に、例えばコンベアベルトの形態の別のコンベア３上に送出するような寸法で設けられている。ここに示す例示の実施例では、二つの凹所５だけが示してあるが、ガイドホイール４は、周囲に亘って均等に分配された複数の凹所５を有する。
【００１９】
容器２が凹所５から早期に離れないようにするため、全体に参照番号６を付したガイドが設けられる。ガイド６はガイドカーブとして設計されており、ガイドホイール４に亘って所定の角度範囲に亘って延びる邪魔板７を含む。この邪魔板は、回転軸線４’と同軸をなして湾曲し、ガイドホイール４の周囲から所定距離を維持する。ここに示す例示の実施例では、邪魔板７は、１８０°以上の角度範囲に亘って延びる湾曲領域７ａを有する。この湾曲領域は、ガイドホイール４の出口端に連結された直線状領域７ｂで終端する。ガイド６には開口部が設けられている。これらの開口部は、一方では、重量を低減するため、及び他方では水分、細菌、等の蓄積を阻止するために設けられている。
【００２０】
コンベア装置１は、更に、取り付け面８の形態でここに示すフレームを有する。このフレームには、例えばガイドホイール４が取り付けられている。
ガイド６は多数の部品で設計されており、中央ロック９が設けられた第１ガイド部品６ａを含む。このガイド部品６ａは、中央ロック９によりフレーム８に能動的に係止できる。
【００２１】
ガイド６は、第１ガイド部品６ａの他に、受動的に係止されるべき少なくとも一つの第２ガイド部品を含む。これらの受動的ガイド部品６ｂ、６ｃのうちの二つを、ここに示す例示の実施例に示す。これらの受動的ガイド部品６ｂ、６ｃは、第１ガイド部品６ａ及びその中央ロック９によってフレーム８に係止される。各ガイド部品６ａ、６ｂ、及び６ｃは、本質的にはストリップすなわち小板の形態で設計されており、共通の邪魔板７の部分を含み、これによってガイド部品６ａ、６ｂ、及び６ｃは邪魔板７が本質的に肩部なしで延びるような寸法を持つように設計されている。
【００２２】
中央ロック９を図３に更に詳細に示す。中央ロック９は、回転軸線１０’を中心として回転させることができるボルト１０及び夫々の開口部１１を有する。ここに示す例示の実施例では、ボルト１０はフレーム８に割当てられ、好ましくはねじ山１２によってフレームに螺着される。開口部１１は、ガイド部品６ａに設けられている。
【００２３】
係止ボルト１０は、非円形ボルト領域の形態のクランプ部品１３を有する。第１小寸法ｋ及び第２大寸法ｇが好ましくは互いに直角を形成し、長さ方向中央線即ち軸線Ａに関して本質的に対称に延びている。
【００２４】
係止ボルト１０は、更に、クランプ領域１３と比較して拡大したヘッド１４を有する。このヘッドもまた、軸線Ａに関して本質的に対称な小寸法及び大寸法を有する。ヘッド１４の小寸法は寸法ｋと一致するが、矩形の大寸法ｆがこの小寸法に対して直角に延びており、寸法ｇよりも大きい。
【００２５】
寸法ｋ、ｇ、及びｆは、クランプ部品１３を少なくとも一方の方向で開口部１１に通した状態でヘッド１４を挿入でき、クランプ部品１３を回転軸線１０’を中心として開口部１１内でクランプ位置まで回転できるように、開口部１１の寸法に合わせてある。クランプ位置にあるとき、ヘッド１４はもはや開口部１１を通って嵌合していないが、その代わりに開口部１１の両側でガイド部品６ａに載止する。この目的のため、開口部１１は小寸法ｌを有し、この小寸法ｌは軸線Ａに関して本質的に対称であり、寸法ｋと等しいか或いはそれ以上であるがｇ及びｆよりも小さい。開口部１１は大寸法ｈを有し、この大寸法ｈは寸法ｆと等しいか或いはそれ以上である。更に、開口部１１は、クランプ効果を高めるための拡大領域１１ａを有する。この領域の幅ｍは、ｌよりも大きいがｇよりも小さい。
【００２６】
係止ボルト１０は、更に、フレーム８からのスペーサとして作用する支持領域１５を有する。支持面１５ａはクランプ領域１３よりも大きく、ヘッド１４と向き合った側部に配置されている。ヘッド１４は、更に、クランプ楔等の形態のクランプ補助部１６を下側に備えている。これは、支持面１５ａに面しており、これによって摩擦を高め、寸法上の許容公差における寸法差を補償する。
【００２７】
係止ボルト１０には、更に、ハンドトグルの形態のハンドル１８用の締結装置１７が設けられている。この締結装置１７は、ここに示す例示の実施例では、ハンドトグル１８内にねじ込むためのねじ山を備えたボアとして設計されている。
【００２８】
本発明のガイド６は、更に、受動的ガイド部品６ｂ、６ｃが能動的ガイド部品６ａによって押し付けられる係止ストップを有する。本発明のガイド６は、更に、幾つかの又は全てのガイド部品の相互に関する及びフレームに対する所定の位置を特定する位置決め装置を含む。更に、本発明のガイド６は、更に、ガイド６をフレームに押し付けるホールドダウン装置すなわち押付装置を含む。これらの機能は全て、ここに示す例示の実施例において、図４に基づいて更に詳細に説明するプラグ−シフト連結部１９によって行われる。
【００２９】
プラグ−シフト連結部１９はボルト２０を含む。このボルトは、ここに示す例示の実施例ではフレーム８に割当てられ、好ましくはねじ山２１によってフレームにねじ込まれる。プラグ−シフト連結部１９は、更に、ガイド６に設けられた開口部２２を有する。
【００３０】
ボルト２０は、上支持面２３ａを持つ支持領域２３を有する。この支持領域２３の機能は、支持領域１５と同じである。ボルト２０は、更に、比較的小さなシャフト領域２４及び比較的大きなヘッド２５を反対端に有する。開口部２２は、本質的には、広幅領域２２ａ及び狭幅領域２２ｂを持つ鍵穴形状であり、そのため、開口部２２は軸線Ａに関して本質的に対称であり、ヘッド２５が広幅領域２２ａを通過するが、狭幅領域２２ｂを通過せずに嵌合する一方、シャフト領域２４が狭幅領域２２ｂに保持されるように、寸法が定められている。ここでも、これらの領域２２ａ及び２２ｂは軸線Ａに沿って整合している。
【００３１】
詳細には、ヘッド２５は直径ａの本質的に円形の断面を有する。直径ａは、広幅領域２２ａの直径ｂと等しいか或いはそれ以下である。広幅領域２２ａもまた、好ましくは円形形状である。シャフト領域２４は、直径ａとほぼ一致し且つ軸線Ａに沿った開口部２２の長さｄよりも小さい第１大寸法ｃ及び開口部２２の狭幅領域２２ｂの軸線に対して横方向の幅ｓと等しいか或いはそれ以下の軸線Ａに対して横方向の第２小寸法ｅを有する。このようにして、ヘッド２５を持つボルトをストップ面２３ａがガイド６の下側と接触するまで開口部２２の広幅領域２２ａに通すことができ、これによって、シャフト領域２４が狭幅領域２２ｂに進入し、続いて開口部２２が軸線Ａに沿って変位し、軸線Ａに対して横方向に延びる狭幅領域２２ｂの境界付け表面２６がシャフト領域２４の対面する狭幅の側部２４ａに当たる。次いで、ヘッド２５が、開口部２２の狭幅領域２２ｂの両側のガイド６と接触し、ホールドダウン装置として役立つ。
【００３２】
図２に詳細に示すように、ガイド部品６ａ、６ｂ、及び６ｃは、好ましくは、少なくとも二つの開口部２２（捩れ防止用）を有し、それらの各々が、フレーム８の対応するガイド部品６ａ、６ｂ、及び６ｃについて所定位置に設けられたボルト２０と協働する。
【００３３】
図２に示すように、各ガイド部品６ａ、６ｂ、及び６ｃの全ての開口部の軸線Ａは同じ方向で整合している。これらの軸線Ａは、直線状ガイド部品６ｂでは整合しており、湾曲したガイド部品６ａ及び６ｃの各々では互いに平行に延びている。開口部２２は、更に、各ガイド部品６ａ、６ｂ、及び６ｃの内側の狭幅領域２２ｂが同じ方向を指すように整合している。能動的ガイド部品６ａの中央ロック９の開口部１１の軸線Ａはこのガイド部品６ａの開口部２２の軸線Ａと平行に延びる。
【００３４】
かくして、ボルト１０及び２０及び夫々の開口部１１及び２２はプラグ−シフト連結部１９を形成する。これは、この連結部を備えたガイド部品の各々について形成される。
ガイド６の組み立てについて、先ず最初に、開口部２２がボルト２０上に置かれるように二つの受動的ガイド部品６ｂ及び６ｃを図２に対して垂直方向に矢印Ｓの方向でボルト２０に押し付け、次いで図２の平面と平行に方向Ｖでそれらの軸線Ａに沿ってシフトする。これにより、夫々の受動的ガイド部品が、ここに示す例示の実施例で軸線方向Ａに対して横方向に延びるストップ面２６が形成する係止ストップに当接する。ストップ面２６は、各ガイド部品６ｂ、６ｃの開口部２２の少なくとも一つに属し、これにシャフト２４の端面２４ａが当たる。これを行うにあたり、ボルト２０のヘッド２５の両側が狭幅領域２２ｂによってグリップされ、及びかくして夫々のガイド部品６ｂ、６ｃをボルト２０の支持面２３ｂと接触した状態に保持し、及びかくしてこれらをフレーム８に対して保持するホールドダウン装置として作用する。
【００３５】
次いで、能動的に係止されるべきガイド部品６ａを、対応するボルト２０の上に開口部２２を置いた状態で且つ係止ボルト１０の上に開口部１１を置いた状態で、矢印Ｓすなわち垂直の方向に配置することによって取り付ける。これは、これらのボルトのヘッド２５及び２４が夫々の開口部２２及び１１を通過するまで行われる。次いで、能動的ガイド部品６ａを、３つのガイド部品全ての圧力面２７が互いに当接し且つ全てのガイド部品のリード面７が肩部を形成せずに互いに面一になるまで、変位方向Ｖにシフトする。その後、中央ロック９の係止ボルト１０をハンドル１８で軸線１０’を中心として枢動する。その結果、クランプ部品１３が開口部１１の拡大領域１１ａにクランプされ、ヘッド１４はそのクランプ楔１６が開口部１１の両側に置かれた状態でガイド部品６ａに載止し、及びかくしてホールドダウン装置として機能する。このようにして、これらが互いに押し付けられる圧力面２７の位置を固定し、受動的ガイド部品６ｂ、６ｃを能動的ガイド部品６ａによって係止する、即ち圧力面２７と係止ストップ２６との間に固定する。
【００３６】
図２に明瞭に理解されるように、開口部２２及び／又は１１の軸線Ａの整合は、能動的ガイド部品６ａによって及ぼされた係止力の少なくとも一つの成分が係止ストップ２６に作用するように、選択されなければならない。更に、軸線Ａの整合は、二つの隣接したガイド部品６ｂ、６ｃが既に所定の位置に置かれているにも拘わらず、最後に設置されるべきガイド部品即ち能動的ガイド部品６ａの変位が可能であるように、選択されなければならない。この例示の実施例では、これは、ガイド部品６ａの開口部２２の軸線Ａが湾曲したガイド面７ａに対して異なる角度で整合されており、ガイド部品の一方、即ちここに示す例示の実施例の直線状ガイド部品６ｂの開口部２２の軸線Ａと本質的に平行であるように直線状ガイド部品６ｂ内を延びることによって行われる。
【００３７】
ここに例示し且つ説明した例示の実施例の変形例では、係止ストップ、位置決め、ホールドダウン装置、捩じり防止、等の個々の機能は、異なる設計エレメントによって達成できる。本発明は、ガイドが二つの部品しか含まない場合又は３つ以上のガイド部品を含む場合でも使用できる。様々な周知の設計を中央ロックとして使用してもよいが、これらの設計もまた、しっかりとしたクランプ効果を達成しなければならない。本発明は、ガイドホイールについて本明細書中に説明したガイドカーブの他に、搬送される商品をコンベア経路上に保持しなければならない他のガイドについても適している。
【図面の簡単な説明】
【００３８】
【図１】本発明のコンベア装置の一部の概略平面図である。
【図２】組み立て工程を示すため、ガイド部品が個々に示してある、図１と同様の概略平面図である。
【図３】中央ロックの構成要素の概略図であり、図３ａはクランプボルトの側面図であり、図３ｂはクランプボルトの正面図であり、図３ｃは図３ＡのＩＩＩ−ＩＩＩ線での断面図であり、図３ｄは中央ロックの開口部を示す図である。
【図４】プラグ−シフトガイドの構成要素を示す図であり、図４ａはボルトの側面図であり、図４ｂはＩＶ−ＩＶ線での断面図であり、図４ｃは夫々の開口部を示す図である。
【符号の説明】
【００３９】
１  コンベア装置                          ２  飲料用の容器
３  コンベア                              ４  ガイドホイール
５  凹所                                  ６  ガイド
７  邪魔板                                ７ａ  湾曲領域
７ｂ  直線状領域                          ８  フレーム
９  中央ロック                            １０  ボルト
１１  開口部                              １２  ねじ山
１３  クランプ部品
【図１】
2007535457.tif 000003
【図２】
2007535457.tif 000004
【図３ａ】
2007535457.tif 000005
【図３ｂ】
2007535457.tif 000006
【図３ｃ】
2007535457.tif 000007
【図３ｄ】
2007535457.tif 000008
【図４ａ】
2007535457.tif 000009
【図４ｂ】
2007535457.tif 000010
【図４ｃ】
2007535457.tif 000011
【国際調査報告】
2007535457.tif 000012
2007535457.tif 000013
2007535457.tif 000014
2007535457.tif 000015